(57)【要約】【課題】経済的でスピーディな方式で大量生産できる一つ又は複数の扁平体を有する中空体のツマヨウジを提供すること。【解決手段】中空長円柱体を含む中空円柱形ツマヨウジであって、プラスチック材料で作られ、その一端または両端が扁平化処理され且つ密封されている。前記中空長円柱体の密封空間にウガイ薬などの流体を封じ込める。【選択図】図１
0003125745.tif 000002
【実用新案登録請求の範囲】
【請求項１】
中空長円柱体を含み、
その一端が扁平化処理され、且つある角度によって尖鋭な先端を形成し、
前記扁平化処理された先端をツマヨウジとして歯と歯の隙間に差し込んで異物を取り除けるようにしたことを特徴とする、
中空円柱形ツマヨウジ。
【請求項２】
前記中空長円柱体は、プラスチック材料で作られることを特徴とする、請求項１に記載の中空円柱形ツマヨウジ。
【請求項３】
前記扁平化された端部は扇形をなし、且つ前記中空長円柱体の前記端部から外へ向かって延伸していることを特徴とする、請求項１に記載の中空円柱形ツマヨウジ。
【請求項４】
前記扁平化処理された端部は密封されていることを特徴とする、請求項１に記載の中空円柱形ツマヨウジ。
【請求項５】
両端を有する中空長円柱体を含み、
前記両端は扁平化処理され、且つある角度によって尖鋭な先端をそれぞれ形成し、
前記扁平化処理された先端をツマヨウジとして歯と歯の隙間に差し込んで異物を取り除けるようにしたことを特徴とする、
中空円柱形ツマヨウジ。
【請求項６】
前記中空長円柱体はプラスチック材料で作られることを特徴とする、請求項５に記載の中空円柱形ツマヨウジ。
【請求項７】
前記扁平化された端部は扇形をなし、且つ前記中空長円柱体の前記端部から外へ向かって延伸していることを特徴とする、請求項５に記載の中空円柱形ツマヨウジ。
【請求項８】
前記扁平化された端部は密封されていることを特徴とする、請求項５に記載の中空円柱形ツマヨウジ。
【請求項９】
流体が前記中空長円柱体の中に置かれていることを特徴とする、請求項８に記載の中空円柱形ツマヨウジ。
【請求項１０】
第一端部及び第二端部を有する中空長円柱体を含み、
前記第一端部は扁平化処理され、且つある角度をなして尖鋭先端を形成し、
前記第二端部は、密封されることによって、前記扁平化処理された尖鋭先端をツマヨウジとして歯と歯の隙間に差し込んで異物を取り除けるようにしたことを特徴とする、
中空円柱形ツマヨウジ。
【請求項１１】
前記中空長円柱体は、プラスチック材料で作られたことを特徴とする、請求項１０に記載の中空円柱形ツマヨウジ。
【請求項１２】
前記扁平化された端部は扇形をなし、且つ前記中空長円柱体の前記端部から外へ向かって延伸していることを特徴とする、請求項１０に記載の中空円柱形ツマヨウジ。
【請求項１３】
前記扁平化された端部は密封されていることを特徴とする、請求項１０に記載の中空円柱形ツマヨウジ。
【請求項１４】
開口装置が前記密封端部に近いところに設置され、且つ流体が前記中空長円柱体の中に置かれていることを特徴とする、請求項１３に記載の中空円柱形ツマヨウジ。
【請求項１５】
前記開口装置は、切り取り線であることを特徴とする、請求項１４に記載の中空円柱形ツマヨウジ。
【考案の詳細な説明】
【技術分野】
【０００１】
本案考案は広義的に言えばツマヨウジに関し、特に中空の管体で作られた中空円柱形ツマヨウジに関するものである。
【背景技術】
【０００２】
ツマヨウジは、通常二つの尖端を有する中実体の長円体で構成されている。
伝統的なツマヨウジは丸い中実体で、且つ大部分が木及び二つの鋭角錐状端部で構成され、歯と歯の隙間に差し込んで異物を取り除けるようになっている。
【考案の開示】
【考案が解決しようとする課題】
【０００３】
本案考案の目的は、経済的でスピーディな方式で大量生産できる一つ又は複数の扁平体を有する中空体のツマヨウジを提供することにある。
【課題を解決するための手段】
【０００４】
プラスチック材料で中空長円柱体をなす中空ツマヨウジを構成し、その一端又は両端を扁平状に形成して密封し、且つ前記中空長円柱体の両端を密封するとき、ウガイ薬などの流体をその密封空間に封じ込むようにする。
【０００５】
すなわち、本願の第１考案は、中空長円柱体を含み、その一端が扁平化処理され、且つある角度によって尖鋭な先端を形成し、前記扁平化処理された先端をツマヨウジとして歯と歯の隙間に差し込んで異物を取り除けるようにしたことを特徴とする、
中空円柱形ツマヨウジを提供する。
本願の第２考案は、前記中空長円柱体は、プラスチック材料で作られることを特徴とする、前記第１考案に記載の中空円柱形ツマヨウジを提供する。
本願の第３考案は、前記扁平化された端部は扇形をなし、且つ前記中空長円柱体の前記端部から外へ向かって延伸していることを特徴とする、前記第１考案に記載の中空円柱形ツマヨウジを提供する。
本願の第４考案は、前記扁平化処理された端部は密封されていることを特徴とする、前記第１考案に記載の中空円柱形ツマヨウジを提供する。
本願の第５考案は、両端を有する中空長円柱体を含み、前記両端は扁平化処理され、且つある角度によって尖鋭な先端をそれぞれ形成し、前記扁平化処理された先端をツマヨウジとして歯と歯の隙間に差し込んで異物を取り除けるようにしたことを特徴とする、中空円柱形ツマヨウジを提供する。
本願の第６考案は、前記中空長円柱体はプラスチック材料で作られることを特徴とする、前記第５考案に記載の中空円柱形ツマヨウジを提供する。
本願の第７考案は、前記扁平化された端部は扇形をなし、且つ前記中空長円柱体の前記端部から外へ向かって延伸していることを特徴とする、前記第５考案に記載の中空円柱形ツマヨウジを提供する。
本願の第８考案は、前記扁平化された端部は密封されていることを特徴とする、前記第５考案に記載の中空円柱形ツマヨウジを提供する。
本願の第９考案は、流体が前記中空長円柱体の中に置かれていることを特徴とする、前記第８考案に記載の中空円柱形ツマヨウジを提供する。
本願の第１０考案は、第一端部及び第二端部を有する中空長円柱体を含み、前記第一端部は扁平化処理され、且つある角度をなして尖鋭先端を形成し、前記第二端部は、密封されることによって、前記扁平化処理された尖鋭先端をツマヨウジとして歯と歯の隙間に差し込んで異物を取り除けるようにしたことを特徴とする、中空円柱形ツマヨウジを提供する。
本願の第１１考案は、前記中空長円柱体は、プラスチック材料で作られたことを特徴とする、前記第１０考案に記載の中空円柱形ツマヨウジを提供する。
本願の第１２考案は、前記扁平化された端部は扇形をなし、且つ前記中空長円柱体の前記端部から外へ向かって延伸していることを特徴とする、前記第１０考案に記載の中空円柱形ツマヨウジを提供する。
本願の第１３考案は、前記扁平化された端部は密封されていることを特徴とする、前記第１０考案に記載の中空円柱形ツマヨウジを提供する。
本願の第１４考案は、開口装置が前記密封端部に近いところに設置され、且つ流体が前記中空長円柱体の中に置かれていることを特徴とする、前記第１３考案に記載の中空円柱形ツマヨウジを提供する。
本願の第１５考案は、前記開口装置は、切り取り線であることを特徴とする、請求項１４に記載の中空円柱形ツマヨウジを提供する。
【考案の効果】
【０００６】
本案考案に係る中空円柱形ツマヨウジは、先鋭化又は扁平化された一端または両端を有すると共に、ウガイ薬などの流体を中空長円柱体の中に密封して利用することが出来る。
【考案を実施するための最良の形態】
【０００７】
図１は、本案考案の好ましい実施例である。
本実施例では、中空円柱形ツマヨウジはプラスチック材料によって作られた中空長円柱体１によって構成され、且つその一方の端部２は扁平化処理を行ってある。
【０００８】
前記端部２はある角度で尖鋭な先端を形成している。
前記扁平化処理された尖鋭端部２はツマヨウジとして、歯と歯の隙間に差し込んで異物を取り除くために使われる。
【０００９】
又、前記扁平化された端部２は、扇形として形成され、且つ中空長円柱体１の端部から外へ向かって延伸してもよい。
又、プラスチック材料の中空長円柱体１の端部２を加熱すると共に圧力を加えて前記端部２を密閉させるなどの方式で密封することも出来る。
【００１０】
図２は、本案考案のもう一つの実施例である。
本実施例では、中空円柱形ツマヨウジは、プラスチック材料で作られた中空長円柱体１によって構成され、且つその両端端部２は、いずれも扁平化処理を行い、前記両端端部２も又ある角度で尖鋭な先端を形成している。
【００１１】
前記扁平化された端部４、５は、扇形に形成され、且つ中空長円柱体３の端部から外へ向かって延伸してもよい。
【００１２】
又、プラスチック材料の中空長円柱体３の端部を加熱すると共に圧力を加えて前記端部４，５を密閉させるなどの方式で密封することも出来る。
【００１３】
ウガイ薬などの流体６を前記密封空間の中に密封してもよく、前記密封された流体６は、中空長円柱体３の密封端部が密封状態を破られたときに、中空長円柱体３の外へ吸い出されて使われることが出来る。
【００１４】
図３は、本案考案のもう一つ別の実施例である。
本実施例では、中空円柱形ツマヨウジはプラスチック材料によって作られた中空長円柱体１によって構成され、且つその一端は扁平化処理を行ってあり、前記端部はある角度で尖鋭な先端を形成している。
【００１５】
他の一端９は、開口装置１０によって簡単に密封できる。
前記開口装置１０は、密封端部９の近くに設置された切り取り線であってよい。
前記扁平化された端部８及び前記密封端部９は又扇形として形成され、且つ中空長円柱体７の端部から外へ向かって延伸してもよい。
【００１６】
ウガイ薬などの流体１１は、前記密封空間の中に密封され、開口装置１０が打開されたとき中空長円柱体３の外へ吸い出されて使われてもよい。
前記開口装置１０の打開は、切り取り線１０のところで中空長円柱体７を折り曲げて破る方式で行ってよい。
【００１７】
以上の詳細な説明は、本考案の実行可能な実施例についての説明であって、これらの記載は本考案を制限するものではなく、凡そ本考案の技術精神から逸脱しない同等効果が得られる実施、または変更は、全て本考案の請求範囲内に含まれるものである。
【図面の簡単な説明】
【００１８】
【図１】図１は、本案考案に係る中空円柱形ツマヨウジの好ましい実施例図である。
【図２】図２は、本案考案に係る中空円柱形ツマヨウジのもう一つの好ましい実施例図である。
【図３】図２は、本案考案に係る中空円柱形ツマヨウジのもう一つ別の好ましい実施例図である。
【符号の説明】
【００１９】
１・・・・中空長円柱体
２・・・・端部
３・・・・中空長円柱体
４・・・・端部
５・・・・端部
６・・・・流体
７・・・・中空長円柱体
８・・・・扁平化された端部
９・・・・密封端部
１０・・・開口装置（切り取り線）
１１・・・流体
【図１】
0003125745.tif 000003
【図２】
0003125745.tif 000004
【図３】
0003125745.tif 000005